(57)【要約】【課題】  既存の洋式トイレにも簡単に取付けることができ、かつ直接便座に触れずに開閉できる。【解決手段】  支持軸部１１に片持レバー１２と、便座すくい部１３と、便座押下げ部１４とが一体構成されている。便座２及び便座カバー３が閉じた状態で片持レバー１２を上に動かすと、便座すくい部１３によってこの便座及び便座カバー３を開けることができる。また便座２及び便座カバー３が開いた状態で片持レバー１２を下に動かすと、便座押下げ部１４によりこの便座のみを下ろすことができる。【選択図】図１
2006296738.tif 000002
【特許請求の範囲】
【請求項１】
支持軸部と、片持レバーと、便座すくい部と、便座押下げ部とを備え、
上記片持レバー、便座すくい部及び便座押下げ部は、上記支持軸部の一端にそれぞれ設けてあり、
上記支持軸部は、便座及び便座カバーの後端軸受け部にそれぞれ設けた貫通穴に回転自在に挿入され、
上記片持レバーは、上記支持軸部を回転させ、
上記便座すくい部は、便器と上記便座との間に挿入され、
さらに上記便座押下げ部は、上記便座の傾斜する後端部に当接するよう構成した
ことを特徴とする便座開閉具。
【発明の詳細な説明】
【技術分野】
【０００１】
本発明は、便座に直接手を触れずに開閉でき、さらに既存の洋式トイレにも簡単に装着することができる便座開閉具に関する。
【背景技術】
【０００２】
従来の洋式トイレは、便器と、その上の便座と、さらにその上の便座カバーとから構成されているが、便座が開いているときにこれを閉じるためには、直接便座に手を触れて下ろさなくてはならなかった。他人の使用の後などに直接便座に手を触ることは不潔感があり、衛生面においても問題があった。また、便座を乱暴に下ろしたりすると、便座に衝撃が加わり破損の原因ともなる。
【０００３】
このため従来からこのような不潔感や衛生面や便座の破損を考慮して、便座カバー及び便座を電動式によって開閉するものが提案されている。しかしながら、電動式のものは高価なものとなり、また取付け費用や、電気代などもかかるという問題点があった。そのため一般家庭には、費用の面で必ずしも設置が容易ではなかった。
【０００４】
そこで電動式ではなく、足ペダルとスプリングを用いて便座カバー及び便座を開閉させる便器が提案されている（例えば特許文献１参照。）。これは、便座及び便座カバーを直接触れることなく、ペダルを足で踏むことにより開閉可能とする構造を有するものである。また、便座及び便座カバーを下ろす際に、スプリングによりその下ろす速度を押さえ、その結果便座への衝撃を和らげるようにしている。
【０００５】
さらに回転軸の一端にハンドルを設け、この回転軸に設けたスプラインに便座及び便座カバーを嵌合させ、このハンドルを上げ下げして便座及び便座カバーを開閉する手段が提案されている（例えば特許文献２参照。）。回転軸は、軸方向にスライド可能であって、スプラインが便座又は便座カバーにそれぞれ単独に嵌合するようになっている。
【特許文献１】特開平７−１０００８１号公報（１〜５頁  図１、図３）
【特許文献２】特開平９−９８９０９号公報（１〜９頁  図１、図６）
【発明の開示】
【発明が解決しようとする課題】
【０００６】
上述した特許文献１の手段は、直接便座に手を触れずに開閉可能でありかつ、便座を閉じるときの破損を防ぐことはできる。しかるに便座及び便座カバーには、足ペダルと連動するレバー（爪）を設ける必要があるため、既存の便座及び便座カバーをそのまま利用することは困難である。またスペースの限られた洋式トイレに、便座及び便座カバーを開閉する足ペダルを設置することは、必ずしも容易ではない。
【０００７】
また上述した特許文献２の手段では、直接便座を触れずに開閉可能でかつ、便座の破損を防ぐこともでき、また限られたスペースでも設置可能である。しかしながら、これも便座及び便座カバーにスプライン軸を嵌合するスプライン穴を設ける必要があるため、既存の便座及び便座カバーをそのまま利用することは困難であり、取付けも複雑である。
【０００８】
そこで本発明の目的は、直接便座に手を触れずに開閉可能で、便座の破損を防止し、既存の便座及び便座カバーをそのまま利用可能であって、さらには極めて容易に取付け可能で、安価な便座開閉具を提供することにある。
【課題を解決するための手段】
【０００９】
上述した課題を解決すべく本発明による便座開閉具は、支持軸部に片持レバー、便座すくい部、及び便座押下げ部を設け、この片持レバーを上げ下げすることで直接便座に触れずに開閉できる。また片持レバーを持って便座を下げるときには、便座は便座すくい部によって支えられているため、便座が落下して便器に強い衝撃を与えることを防止できる。さらにはこの便座開閉具は、安価で既存の洋式トイレに誰でも簡単に取付けることができる。
【００１０】
すなわち上述したように、特許文献１、２のような構造では、既存の便座及び便座カバーをすべて交換する必要がある。また設置スペースが限られた場所においては、足ペダルの置き場所や回転軸を軸方向に移動させる空間を確保するのは困難である。さらに、これらを設置するためには、これを取付ける専門の者が必要となり時間と費用がかかってしまう。そこで本発明者は、創作工夫の結果、支持軸部に片持レバー、便座すくい部、及び便座押下げ部を設けることによって、既存の便座及び便座カバーの回転軸と交換するだけで、直接便座に触れずに開閉でき、また便座を衝撃による破損からも防ぐことを見出した。
【００１１】
本発明による便座開閉具の特徴は、支持軸部と、片持レバーと、便座すくい部と、便座押下げ部を備えており、この片持レバー、便座すくい部及び便座押下げ部は、この支持軸部の一端にそれぞれ設置したものである。またこの支持軸部は、便座及び便座カバーの後端軸受け部に、それぞれ設けた貫通穴に回転自在に挿入されこの片持レバーは、この支持軸部を回転させ、この便座すくい部は、便器と上記便座との間に挿入され、さらに上記便座押下げ部は、この便座の傾斜する後端部に当接する構成である。
【００１２】
ここで、「支持軸部」とは、便器本体、便座及び便座カバーの後端軸受け部に設けた貫通穴に挿入され、これらを回転自在に支持するものを意味し、後端軸受け部が左右に二分されている場合は、いずれか一方にのみ取り付けるものを含む。この貫通穴のサイズは、通常業界標準に基づくため支持軸部の直径も一種類にすることができる。「片持レバー」とは、上記支持軸部の一端に設けられ、上下に動かすことでこの支持軸部を回転させるものを意味し、その形状は、棒状のみならず例えばハンドルの形状も含む。さらに一定の強度を有するものであれば、その材質は問わず、例えば金属や合成樹脂が該当する。
【００１３】
「便座すくい部」とは、上記支持軸部に固定されており、かつ便器と便座の間の空間に挟まれるように挿入され、便座のみ、またはこれと同時に便座カバーを支え持上げるものを意味し、便座を支え持上げられるものであれば特にその形状は問わない。例えば平面板状のものやコの字に曲げた棒状が該当する。さらに一定の強度を有するものであれば、その材質は問わず、例えば金属や合成樹脂が該当する。「便座押下げ部」とは、上記支持軸部に固定されており、かつ便座の傾斜する後端部に当接するような形状であって、便座が開いてる場合に上記片持レバーを下げると、前述した便座の傾斜する後端部を押圧して、便座を閉じる方向に押下げるものであれば、その形状は問わない。材質としては、弾性材が好ましく、例えばゴムや合成樹脂が該当する。
【発明の効果】
【００１４】
片持レバーを上下させることにより、便座及び便座カバーを直接手で触れないで開閉できる。すなわち、便座及び便座カバーの双方が閉じている場合は、片持レバーを上げれば、便座すくい部が便座を持上げて便座カバーと供に開くことができる。次に片持レバーを下げると便座押下げ部が、便座後端部を押圧して便座を閉じる方向に押下げ、便座だけを閉じることができる。なお、便座カバーだけを片持レバーで閉じることはできないが、洋式トイレを使用した後は、通常便座カバーを閉じない場合が多い。
【００１５】
また便座を下げるときには、便座すくい部によって支えられているので、便座が開いた位置から急激に閉じることはなく、便座を衝撃による破損からも防ぐことができる。
【００１６】
さらに既存の洋式トイレに対して、回転支持軸の抜止め用ナットを緩め外し、回転支持軸を引抜き、それに替えて本発明である便座開閉具を挿入し、抜止め用ナットを再取付けるだけで、誰でも簡単に取替えることができる。また、通常業界標準に基づき洋式トイレの軸径が決まっているので、１種類の便座開閉具を準備すれば足りる。
【００１７】
また本発明による便座開閉具は、支持軸部に片持レバーと、便座すくい部と、便座押下げ部を固定しただけの簡単な構造である。したがってスペースなど限られた場所の設置が容易で、安価に入手でき、さらに誰にでも容易に取付けることができる。
【発明を実施するための最良の形態】
【００１８】
図１〜図３を参照して、本発明による便座開閉具の構成等について説明する。
図１に示すように支持軸部１１は、錆難いステンレス製の丸棒であって、その一端にはこの支持軸部と同径の丸棒の支持レバー１２が溶接で結合され、またステンレス製の丸棒をコの字に曲げた便座すくい部１３が溶接で結合されている。また支持軸部１１には、合成ゴム材からなる便座押下げ部１４が設けられている。すなわち便座押下げ部１４には、貫通穴１４ａが開口しており、この貫通穴に支持軸部１１が挿入され、さらにこの支持軸部に溶接したＬ字形状の止板１５によって、回転を防止している。
【００１９】
支持軸部１１は、便器４の後端部に設けた後端軸受部４１、便座２の後端軸受部２１、及び便座カバー３の後端軸受部３１にそれぞれ開口する貫通穴４１ａ、２１ａ、３１ａに、回転自在に挿入され、左右の２個の抜止め用ナット１６、１６によって軸方向に抜けないようにしている。便座すくい部１３は、便座２と便器４との間に挿入されている。
【００２０】
次に図２を参照して便座押下げ部１４について説明する。止板１５は、Ｌ字形状の一辺に貫通穴１５ａが設けてあり、この貫通穴の周囲を溶接によって支持軸部１１に固定している。そして止板１５のＬ字形状の他辺は、便座押下げ部１４の後面に密接し、この便座押下げ部の回転を防止している。また便座押下げ部１４の前面は、上面から下面に向かって後方に傾斜し、この傾斜する前面が便座２の傾斜する後端面２２に当接している。
【００２１】
図３を参照しつつ、便座開閉具１の使用について説明する。便座２及び便座カバー３の双方が閉じている場合は、片持レバー１２を上げれば、便座すくい部１３がこの便座を持上げてこの便座カバーと供に開くことができる。次に片持レバー１２を下げると便座押下げ部１４が、便座２の後端面２２を押圧してこの便座を閉じる方向に押下げ、この便座だけを閉じることができる。なお便座すくい部１３は、途中でヘの字形に曲げてあり、便座２の後端面２２と干渉しないで先端がこの便座すくい部の内側面を支持できるようにしてある。
【００２２】
したがって洋式トイレを次のようにして使用することができる。便座２と、便座カバー３が閉じている場合であって、この便座を使用しないときには、片持レバー１２を上げて、この便座と、便座カバーとの双方を開ければよい。逆に便座２を使用するときは、片持レバー１２を上げて、この便座と、便座カバー１２との双方を開き、ついでこの片持レバーを下げてこの便座だけを閉じればよい。
【００２３】
次に便座カバー３のみが開いている場合であって、便座２を使用しないときは、片持レバー１２を上げればよい。また便座２と、便座カバー３との双方が開いている場合であって、この便座を使用するときには、片持レバー１２を下げてこの便座のみを閉じればよい。したがって以上述べたように、本発明の便座開閉具１によって、洋式トイレの全ての使用パターンに対応することができる。
【００２４】
なお、便座カバー３の上面に取手または、指を引掛ける凹などを設ければ、汚れやすいこの便座カバーの下面に直接触れないで、この取手や凹を掴んでこの便座カバーを閉じるようにすることができる。
【産業上の利用可能性】
【００２５】
本発明の便座開閉具は、既存の洋式トイレの便座及び便座カバーをそのまま利用でき、かつ誰にでも簡単な取付け作業で設置できるため、これらの便座の開閉に関する産業に広く利用可能である。
【図面の簡単な説明】
【００２６】
【図１】便座開閉具を設置した洋式トイレの斜視図である。
【図２】便座押下げ部と止板との拡大斜視図である。
【図３】便座開閉具の使用の説明図である。
【符号の説明】
【００２７】
１      便座開閉具
１１    支持軸部
１２    片持レバー
１３    便座すくい部
１４    便座押下げ部
１４ａ  貫通穴
１４ｂ  傾斜面（傾斜部）
１５    止板
１６    抜止め用ナット
２      便座
２１    後端軸受部
２１ａ  貫通穴
２２    後端面
３      便座カバー
３１    後端軸受部
３１ａ  貫通穴
４      便器
４１    後端軸受部
４１ａ  貫通穴
【図１】
2006296738.tif 000003
【図２】
2006296738.tif 000004
【図３】
2006296738.tif 000005